(57)【特許請求の範囲】
【請求項１】
コンクリートブロック等から構成される法面安定用の受圧構造体の略中央部を主アンカーを介して地盤に対して固定する法面安定化施工において、前記主アンカーに加えて前記受圧構造体の重心から水平方向にずらした１カ所に設置状態監視用の補助アンカーを配設し、その補助アンカーを中心とする前記受圧構造体自体の傾斜によって該受圧構造体の設置状態の異常を監視することを特徴とする法面安定用受圧構造体の設置状態監視方法。
【発明の詳細な説明】
【０００１】
【発明の属する技術分野】
本発明は、地山等の法面に対して実施される法面安定化技術に関する。より詳しくは、コンクリートブロック等から構成される受圧構造体の設置状態を離れた地点からも容易に監視し得るように改善した法面安定用受圧構造体の設置状態監視方法に関する。
【０００２】
【従来の技術】
この種の地山や土木工事によって形成される法面の安定化方法としては、予め直線状や十字形に成形されたコンクリートブロックなどから構成される受圧構造体と、その受圧構造体を地盤に対して締付け固定するためのグラウンドアンカーなどからなる主アンカーとを使用して法面の安定化を図る施工方法が従来から広く知られている。ところで、この施工方法は、法面安定化のための施工方法として種々の優れた点を有する一方、１個あたりの重量が数トンにも達する受圧用のブロックを１本あるいは複数本を１本に束ねて一体化した主アンカーで支持する構造のため、その安全性は主アンカーの設置状態に依存するところが大きく、仮にその設置状態に欠陥が生じた場合には大事故を招来しかねない危険がある。
【０００３】
【発明が解決しようとする課題】
本発明は、以上のような事情に鑑みてなされたもので、その目的とするところは、施工後に生じる法面安定用の受圧構造体の設置状態に関する異常状態の発生を離れた地点からも容易に監視し得るように改善した法面安定用受圧構造体の設置状態監視方法を提供することにある。
【０００４】
【課題を解決するための手段】
本発明は、法面安定用の受圧構造体の略中央部を主アンカーを介して地盤に対して固定する法面安定化施工において、前記主アンカーに加えて前記受圧構造体の重心から水平方向にずらした１カ所に設置状態監視用の補助アンカーを配設し、主アンカーの異常発生時に前記補助アンカーを支点として生じる受圧構造体自体の傾斜により設置状態に関する異常の発生を離れた地点からも監視し得るようにしたことを特徴とする。
【０００５】
【発明の実施の形態】
本発明の実施においては、前記受圧構造体の設置に際して、その略中央部に配設する主アンカーに加えて、前記受圧構造体の重心から水平方向にずらした適宜の１カ所に主アンカーの設置状態監視用として補助アンカーを配設する。この場合、前記受圧構造体や主アンカーの具体的形状や材質などには限定されることなく広く実施が可能である。なお、前記受圧構造体の重量は主アンカーによって半永久的に支持することを基本とし、前記補助アンカーは監視用として設置されるものであるから、受圧構造体の重量を仮に支持し得る能力を有するものであれば足り、また正常時には受圧構造体の重力が作用しないように設置してもよい。
【０００６】
【実施例】
以下、図面を用いて本発明の実施例に関して説明する。図１及び図２は本発明の一実施例を示したものである。図１は本発明を法面用の受圧構造体として十字形のブロックを用いた場合に適用した実施例の施工後の状態を示した縦断面図、図２はその受圧構造体をＡ方向からみたＡ矢視図である。図中、１はコンクリートブロック等からなる十字形の受圧構造体で、この受圧構造体１を縦横方向に直接的に接続した状態あるいは隣接する受圧構造体１との間に縦枠部ないし横枠部を介在させて接続した状態に所要数並べて設置することにより格子状の法枠を形成することができる。受圧構造体１の略中央部には凹部２が形成されており、その凹部２の底部３を支圧プレート４を介してグラウンドアンカーを構成するアンカーテンドンなどからなる主アンカー５によって締付け固定することにより受圧構造体１を地山などの地盤６に対して定着させるように構成されている。すなわち、地盤６に形成した削孔７に主アンカー５を挿入しグラウト材８を注入することにより先端側に位置する定着部９を介して地盤６に対して定着し、その主アンカー５を介して受圧構造体１を地盤６に対して定着させることになる。図中、１０は主アンカー５の自由長部分を構成するシース管、１１は主アンカー５の上端部に設置されるくさびなどからなる固着具である。なお、主アンカー５の頭部を防錆油などによりシールするように構成してもよい。
【０００７】
次に本発明の特徴部分に関して説明する。本発明は、図示のように、前記受圧構造体１の略中央部を支持する前記主アンカー５に加えて、当該受圧構造体１の十字形を構成する上方の縦部１２にその受圧構造体１自体の重心から例えばＬａだけ水平方向にずらした位置１カ所に設置状態監視用の補助アンカー１３を配設した点で技術的特徴を有する。この補助アンカー１３は、ロックボルトなどからなり、受圧構造体１の重量を仮に支持し得る能力を備えていれば足りる。なお、この補助アンカー１３の設置の仕方は、凹部１４において支圧プレート１５を介してナット１６等により締付け固定する。図中、１７は地盤６に形成された削孔、１８は充填されたグラウト材である。
【０００８】
しかして、前記受圧構造体１の施工後、何らかの原因により主アンカー５に切断や引抜けなどの支障が生じ、主アンカー５自体によっては受圧構造体１の重量を十分支持できない異常事態が発生した場合には、受圧構造体１はその自重により、前記補助アンカー１３を中心に回動して傾斜することになる。したがって、遠く離れた地点からでもその受圧構造体１の傾斜状態を観察すれば設置状態の異常を監視することができる。その結果、大事に至る前に対策を打つことが可能となり、事故を未然に回避することができることになる。
【０００９】
図３は本発明の他の実施例に関する施工後の状態を示した施工状態図である。図示のように、前記実施例と同じ構成部分には同じ符号を付して説明すると、本実施例においては、補助アンカー１９を十字形の受圧構造体１を構成する横部２０に図示のように受圧構造体１の重心から例えばＬｂだけ水平方向にずらした位置に１カ所配設した点で特徴を有する。本実施例の場合には、以上のように補助アンカー１９を受圧構造体１の横部２０に設けたので、その補助アンカー１９と受圧構造体１との水平方向のずれＬｂの選定の自由度が大きく、補助アンカー１９を支点とする受圧構造体１の自重による回転モーメントを大きくとることも可能であることから異常発生時における受圧構造体１の傾斜量を大きく設定することもできるので、より良好な監視が可能となる。
【００１０】
なお、以上の実施例の説明においては十字形からなる受圧構造体を例に説明したが、本発明はこれに限定されるものではなく、前述のように、要は受圧構造体の略中央部を支持する主アンカーとは別にその受圧構造体の具体的形状に合わせて重心から水平方向にずらした任意の１カ所に補助アンカーを設ければ、主アンカーの異常発生時には前記受圧構造体がその補助アンカーを支点として自重により自ら傾斜するので前記監視機能を奏することが可能である。
【００１１】
【発明の効果】
本発明によれば、前記補助アンカーを中心とする受圧構造体自体の傾斜を観察することにより、遠く離れた地点からでも設置状態の異常を容易に監視することができる。その結果、大事に至る前に対策を打つことが可能となり、事故を未然に回避することができる。
【図面の簡単な説明】
【図１】  本発明の実施例の施工後の状態を示した縦断面図である。
【図２】  同実施例をＡ方向から見たＡ矢視図である。
【図３】  他の実施例の施工後の状態を示した施工状態図である。
【符号の説明】
１…受圧構造体、２…凹部、３…凹部の底部、４…支圧プレート、５…主アンカー、６…地盤、７…削孔、８…グラウト材、９…定着部、１０…シース管、１１…固着具、１２…縦部、１３…補助アンカー、１４…凹部、１５…支圧プレート、１６…ナット、１７…削孔、１８…グラウト材、１９…補助アンカー、２０…横部
【図１】
0003643160.tif 000002
【図２】
0003643160.tif 000003
【図３】
0003643160.tif 000004